(57)【要約】      （修正有）【課題】有限な空間中で、光源、固定、放熱効果を達成するバルブを提供する。【解決手段】座体１、光源モジュール２、及びランプシェル３を包含する。座体１の中空絶縁ベース１１に、ギャップを具えた外側の透光カバー１４と下方に位置決めされるランプヘッド１２が設けられ、且つ絶縁ベース１１内にランプヘッド１２と電気的に接続される電力供給モジュール１５が設けられる。光源モジュール１２に、ベース１１及び透光カバー１４の上方に位置決めされる金属のアダプタシート２１が設けられ、該アダプタシート２１の上下の表面に、複数の発光ダイオード２２１を具えて該電力供給モジュール１５と電気的に接続される第１、第２回路板２２、２３が設けられ、該アダプタシート２１の上方にランプシェル３が位置決めされる。【選択図】図２
0003179910.tif 000002
【実用新案登録請求の範囲】
【請求項１】
バルブにおいて、座体、光源モジュール及びランプシェルを包含し、
該座体には中空の絶縁ベースが設けられ、該絶縁ベースの外側にギャップを介して透光カバーが設けられ、下方にランプヘッドが位置決めされ、且つ該絶縁ベース内に該ランプヘッドと電気的に接続される電力供給モジュールが設けられ、
該光源モジュールに、ベースに位置決めされて該透光カバーの上方に位置決めされ並びに放熱機能を具えた金属のアダプタシートが設けられ、該アダプタシートの上下表面に、複数の発光ダイオードを具えて該電力供給モジュールと電気的に接続される第１、第２回路板が設けられ、
該ランプシェルは該アダプタシートの上方に位置決めされることを特徴とする、バルブ。
【請求項２】
請求項１記載のバルブにおいて、該座体の絶縁ベース下方に接合部が設けられ、該ランプヘッド内壁面に、該接合面と接続される雌ネジ孔が設けられ、外表面に、ランプシートと螺合される雄ネジが設けられたことを特徴とする、バルブ。
【請求項３】
請求項１記載のバルブにおいて、該座体の絶縁ベースの上端縁に外向きに突出する複数の位置決め片が設けられ、該絶縁ベースの外側に、上面が該第２回路板の下表面を支持する金属材質の中空の放熱体が嵌合され、該放熱体の上端縁に複数の該位置決め片と係合する複数の位置決め溝が凹設され、該第１回路板の上方と該第２回路板の下方にそれぞれ第１接続板及び第２接続板が設けられ、該第２接続板の下方にさらに位置決めシートが設けられ、該位置決めシートの上方は該絶縁ベースの上面の外縁に当接し、該位置決め片が嵌め込まれる複数の位置決め凹溝が設けられたことを特徴とする、バルブ。
【請求項４】
請求項３記載のバルブにおいて、該位置決めシートの上方より位置決め柱が突伸し、該位置決め柱の外壁面に複数のリブが凸設され、並びに該アダプタシート、第１回路板、第２回路板及び第２接続板に、該位置決めシートの位置決め柱を通して該第１接続板の下表面に当接させるための穿孔が設けられ、該穿孔周縁にさらに、該位置決め柱の外側の複数のリブを通して位置制限するための割り溝が形成されたことを特徴とする、バルブ。
【請求項５】
請求項３記載のバルブにおいて、該第２回路板の下表面に、該放熱体の上面と当接し絶縁を形成する熱伝導パッドが設けられたことを特徴とする、バルブ。
【請求項６】
請求項１記載のバルブにおいて、該座体の絶縁ベースの外側に、金属材質の中空の放熱体が嵌合され、該放熱体の外表面に、該透光カバーの下端を支持する階段面が設けられ、該階段面の上方外表面にさらに、上向きのネジ孔を具えた複数のネジ柱が凸設され、該透光カバーの下方の内向きに延伸された底板内縁に、各該ネジ柱の進入に供される複数の凹孔が設けられ、該第１回路板上にネジが設けられ、該アダプタシート、第２回路板及び熱伝導パッドに該第１回路板上の複数のネジを通すための複数の貫通孔が設けられ、且つこれら複数のネジは、該放熱体上の各ネジ柱のネジ孔に螺合されることを特徴とする、バルブ。
【請求項７】
請求項１記載のバルブにおいて、該アダプタシートの外縁に、上方と下方に延伸された複数の位置決め体が設けられ、該座体の透光カバーの上方外表面に各該位置決め体を嵌め止めするための複数の嵌め溝が凹設され、該ランプシェルの外表面の下方に、各該位置決め体を嵌め止めするための複数の嵌め溝が設けられることを特徴とする、バルブ。
【請求項８】
請求項１記載のバルブにおいて、該光源モジュールの該アダプタシートの外縁に、複数の係止孔が設けられ、該ランプシェルの底面に下向きに突伸して該アダプタシートの各係止孔に係合し位置決めを形成する複数の係止部が設けられることを特徴とする、バルブ。
【請求項９】
請求項１記載のバルブにおいて、該光源モジュールの第２回路板に該第１回路板と電気的に接続されるコネクタが設けられ、該コネクタの上方と下方にそれぞれ複数のピンが設けられ、該第１回路板の上方に、該電力供給モジュールと電気的に接続される第１接続板が電気的に接続され、該第２回路板の下方に、第２接続板が電気的に接続され、該第１接続板と該第２接続板は該コネクタの複数のピンにハンダ付けされて電気的接続を形成し、該アダプタシート、該第１回路板、及び第２回路板上に、該コネクタを置き入れるための貫通溝が設けられたことを特徴とする、バルブ。
【請求項１０】
請求項１記載のバルブにおいて、該光源モジュールのアダプタシートに複数の貫通孔が設けられ、第２回路板に該アダプタシートの複数の貫通孔をとおり第１回路板に螺合される複数のネジが取付けられることを特徴とする、バルブ。
【考案の詳細な説明】
【技術分野】
【０００１】
本考案は一種のバルブに係り、特に、第１、第２回路板上の複数の発光ダイオードを利用して上方、下方及び側方に光線を発射し、且つ金属製のアダプタシートを利用して該第１、第２回路板が伝導する熱量を放熱し、並びに該アダプタシートが透光カバーとランプシェルの位置決めに供され、有限な空間中で、同時に、固定、光線及び放熱効果を達成するものに関する。
【背景技術】
【０００２】
伝統的なバルブ（ｌｉｇｈｔ  ｂｕｌｂ）は、エジソンが発明したタングステン糸を発光源として使用するものに始まり、現在、すでに１００年が経った。タングステン糸の発光は、全方位（ｏｍｎｉｄｉｒｅｃｔｉｏｎ）であり、並びにある一つの方向に比較的多くの光線を送出するのではなく、これにより迅速に、ろうそく或いは灯油ランプ等の光源にとってかわり、現在、市場はすでに全方位光形の光源装置を受け入れている。
【０００３】
しかし、タングステン糸を発光源とするバルブは、消耗パワーが比較的大きく、すなわち各ワット消耗のパワーが提供する照度は現在の光源中、相当に劣り、これにより、より節電できる光源を提供するため、多くの研究開発資源が投入されている。
【０００４】
現在、市場での受け入れ度が比較的高いのは、安定器を使用した省エネバルブであり、また電子バルブ、コンパクトタイプバルブ或いは一体式蛍光灯と称される。節電バルブのサイズと伝統的なタングステンバルブは接近し、並びにタングステンバルブと同じ口金を使用でき、直接伝統的なタングステンバルブから置き換えられる。このような省エネバルブの長所は、省エネの光効率が伝統的なタングステンバルブより非常に優れており、同様の照明条件下で、前者の消耗する電気エネルギーは、非常に少なくでき、ゆえに、いわゆる省エネバルブと称される。しかし、蛍光灯（特にＴ５チューブ）と比較すると、なおも比較的エネルギーを浪費する。
【０００５】
しかし、このような省エネバルブは全く欠点がないわけではない。まず、タングステンバルブと異なり、省エネバルブは、使用時に、僅かな電磁波とマイクロウエーブを発生し、１ワット毎に省エネバルブが発生する電磁波強度は約４．６７ミリガウスであり、マイクロウエーブは約３．３μＷ／ｃｍ2である。
【０００６】
このほか、安定器と蛍光灯の特性により、省エネバルブは調光不能であるのみならず、輝度調整可能な照明器具には適用できず、且つ経常的にオンオフされる場所には適用されない。
【０００７】
このほか、省エネバルブの使用需要が切れる時、省エネバルブの含有する微量な水銀は有毒であり、運輸と廃棄時には注意深く処理されなければならない。
【０００８】
発光ダイオード照明は、現在の照明装置中、パワー消耗が最小であり、グリーンエネルギーに最も符合する電子照明製品であり、業者は熱心に発光ダイオードランプの研究開発を進めている。しかし、発光ダイオードの光線と発射の光形は、伝統的な光源装置に較べると、点光源であり、且つ指向性を有し、パワー消耗が極めて低いという長所を有してはいるものの、点光源を拡散させる必要があり並びに照明に適用するには、さらに放熱の設計を必要とする。
【０００９】
ただし、一般のグローブ電球型発光ダイオードランプの多くは、下方に放熱シートが設けられ、放熱シートの上方に、回路板と複数の発光ダイオードが設けられ、さらに、外部が透明或いは半透明のランプシェルで被覆されている。ただし、バルブ自身の構造に制限され、複数の発光ダイオードがいずれも上向きとされるため、グローブ電球型発光ダイオードランプの出光角度は有限であり、一般のグローブ電球が取付けられるランプシートはいずれも反射板を具え得るが、この状況では反射板は全く効果を発揮できず、且つ発光ダイオードランプの輝度も不足する。上述の周知のグローブ電球型発光ダイオードランプは実際の使用時に、多くの欠点があり、改善が待たれており、ゆえに、いかに有限な空間内で、周知のグローブ電球型発光ダイオードランプの具備する光線、放熱及び固定の問題と欠点を解決するかが、この業界に従事する者の研究開発の方向である。
【考案の概要】
【考案が解決しようとする課題】
【００１０】
ゆえに、本考案は上述の問題と欠点を鑑み、関係情報を収集し、多方面の評価と考察を経て、並びにこの業界で累積した長年の経験を持って、不断に試作と改良を重ね、終にこのような有限な空間中で、固定、光源及び放熱効果を考慮したバルブの創作を完成した。
【００１１】
本考案の主要な目的は、該光源モジュールにおいて、金属のアダプタシートの上下表面に、複数の発光ダイオードを具えた第１、第２回路板を設け、上方、下方及び側方に光線を発射し、且つ第１、第２回路板の発生する熱量を金属製のアダプタシートに伝導して放熱させ、アダプタシートはまた、透光カバーとランプシェルの定位に供し、こうして有限な空間中で、同時に固定、光源及び放熱効果を考慮した設計を達成することにある。
【００１２】
本考案の次の目的は、該第１回路板と該第２回路板の熱エネルギーをアダプタシートに伝導して放熱し、且つ該第２回路板の熱エネルギーを熱伝導パッドを介して放熱体に伝導して放熱し、金属製のアダプタシートの複数の位置決め体の設置数量を増減可能とし、ゆえに、発光ダイオードの数量を増加するか或いはパワーアップの時に、放熱面積を増大して放熱効果をアップでき、これにより、製品の使用寿命を延長できるようにすることにある。
【００１３】
本考案のもう一つの目的は、第１、第２接続板を、第１、第２回路板にハンダ付けして電気的に接続し、第１接続板と、第２接続板の間は、コネクタで電気的に接続し、組立時には、僅かにコネクタをアダプタシート、第１回路板、第２回路板上の貫通溝に挿入し、さらにハンダ付けすれば、作業を完成でき、これにより、加工及び組立工程の簡易化を達成できるようにすることにある。
【００１４】
本考案のまた一つの目的は、該第２回路板上の複数の発光ダイオードの発射する光線が放熱体の階段面上方の傾斜状外壁面に照射されて、さらに反射され透光カバーをとおり外部に照射されるようにし、複数の発光ダイオードの光線が確実に外部に照射されるようにして、これによりバルブ輝度のアップを達成できるようにすることにある。
【課題を解決するための手段】
【００１５】
請求項１の考案は、バルブにおいて、座体、光源モジュール及びランプシェルを包含し、
該座体には中空の絶縁ベースが設けられ、該絶縁ベースの外側にギャップを介して透光カバーが設けられ、下方にランプヘッドが位置決めされ、且つ該絶縁ベース内に該ランプヘッドと電気的に接続される電力供給モジュールが設けられ、
該光源モジュールに、ベースに位置決めされて該透光カバーの上方に位置決めされ並びに放熱機能を具えた金属のアダプタシートが設けられ、該アダプタシートの上下表面に、複数の発光ダイオードを具えて該電力供給モジュールと電気的に接続される第１、第２回路板が設けられ、
該ランプシェルは該アダプタシートの上方に位置決めされることを特徴とする、バルブとしている。
請求項２の考案は、請求項１記載のバルブにおいて、該座体の絶縁ベース下方に接合部が設けられ、該ランプヘッド内壁面に、該接合面と接続される雌ネジ孔が設けられ、外表面に、ランプシートと螺合される雄ネジが設けられたことを特徴とする、バルブとしている。
請求項３の考案は、請求項１記載のバルブにおいて、該座体の絶縁ベースの上端縁に外向きに突出する複数の位置決め片が設けられ、該絶縁ベースの外側に、上面が該第２回路板の下表面を支持する金属材質の中空の放熱体が嵌合され、該放熱体の上端縁に複数の該位置決め片と係合する複数の位置決め溝が凹設され、該第１回路板の上方と該第２回路板の下方にそれぞれ第１接続板及び第２接続板が設けられ、該第２接続板の下方にさらに位置決めシートが設けられ、該位置決めシートの上方は該絶縁ベースの上面の外縁に当接し、該位置決め片が嵌め込まれる複数の位置決め凹溝が設けられたことを特徴とする、バルブとしている。
請求項４の考案は、請求項３記載のバルブにおいて、該位置決めシートの上方より位置決め柱が突伸し、該位置決め柱の外壁面に複数のリブが凸設され、並びに該アダプタシート、第１回路板、第２回路板及び第２接続板に、該位置決めシートの位置決め柱を通して該第１接続板の下表面に当接させるための穿孔が設けられ、該穿孔周縁にさらに、該位置決め柱の外側の複数のリブを通して位置制限するための割り溝が形成されたことを特徴とする、バルブとしている。
請求項５の考案は、請求項３記載のバルブにおいて、該第２回路板の下表面に、該放熱体の上面と当接し絶縁を形成する熱伝導パッドが設けられたことを特徴とする、バルブとしている。
請求項６の考案は、請求項１記載のバルブにおいて、該座体の絶縁ベースの外側に、金属材質の中空の放熱体が嵌合され、該放熱体の外表面に、該透光カバーの下端を支持する階段面が設けられ、該階段面の上方外表面にさらに、上向きのネジ孔を具えた複数のネジ柱が凸設され、該透光カバーの下方の内向きに延伸された底板内縁に、各該ネジ柱の進入に供される複数の凹孔が設けられ、該第１回路板上にネジが設けられ、該アダプタシート、第２回路板及び熱伝導パッドに該第１回路板上の複数のネジを通すための複数の貫通孔が設けられ、且つこれら複数のネジは、該放熱体上の各ネジ柱のネジ孔に螺合されることを特徴とする、バルブとしている。
請求項７の考案は、請求項１記載のバルブにおいて、該アダプタシートの外縁に、上方と下方に延伸された複数の位置決め体が設けられ、該座体の透光カバーの上方外表面に各該位置決め体を嵌め止めするための複数の嵌め溝が凹設され、該ランプシェルの外表面の下方に、各該位置決め体を嵌め止めするための複数の嵌め溝が設けられることを特徴とする、バルブとしている。
請求項８の考案は、請求項１記載のバルブにおいて、該光源モジュールの該アダプタシートの外縁に、複数の係止孔が設けられ、該ランプシェルの底面に下向きに突伸して該アダプタシートの各係止孔に係合し位置決めを形成する複数の係止部が設けられることを特徴とする、バルブとしている。
請求項９の考案は、請求項１記載のバルブにおいて、該光源モジュールの第２回路板に該第１回路板と電気的に接続されるコネクタが設けられ、該コネクタの上方と下方にそれぞれ複数のピンが設けられ、該第１回路板の上方に、該電力供給モジュールと電気的に接続される第１接続板が電気的に接続され、該第２回路板の下方に、第２接続板が電気的に接続され、該第１接続板と該第２接続板は該コネクタの複数のピンにハンダ付けされて電気的接続を形成し、該アダプタシート、該第１回路板、及び第２回路板上に、該コネクタを置き入れるための貫通溝が設けられたことを特徴とする、バルブとしている。
請求項１０の考案は、請求項１記載のバルブにおいて、該光源モジュールのアダプタシートに複数の貫通孔が設けられ、第２回路板に該アダプタシートの複数の貫通孔をとおり第１回路板に螺合される複数のネジが取付けられることを特徴とする、バルブとしている。
【考案の効果】
【００１６】
ゆえに、本考案はバルブに対して、座体の中空絶縁ベースに、外側の、ギャップを具えた透光カバーと下方に位置決めされるランプヘッドを設け、且つ絶縁ベース内に、ランプヘッドと電気的に接続される電力供給モジュールを設け、ベース及び透光カバーの上方に、光源モジュールの放熱金属アダプタシートを設け、アダプタシートの上下表面に、複数の発光ダイオードを具えて電力供給モジュールに電気的に接続される第１、第２回路板を設け、さらに、アダプタシートの上方にランプシェルを位置決めし、こうして、第１、第２回路板により増加する複数の発光ダイオードにより光線を発射し、且つ第１、第２回路板の発生する熱量を金属のアダプタシートに伝導し、透光カバー及びランプシェルはアダプタシートを介して位置決めし、こうして有限な空間中で、固定、光線及び放熱の効果を達成することを主要な保護の重点としている。
【図面の簡単な説明】
【００１７】
【図１】本考案の立体外観図である。
【図２】本考案の立体分解図である。
【図３】本考案のもう一つの立体分解図である。
【図４】本考案の側面断面図である。
【図５】本考案のもう一つの側面断面図である。
【考案を実施するための形態】
【００１８】
本考案の技術内容、構造特徴、達成する目的を詳細に説明するため、以下に実施例を挙げ並びに図面を組み合わせて説明する。
【００１９】
図１、２、３、４、５を参照されたい。それは、本考案の立体外観図、立体分解図、もう一つの立体分解図、側面断面図、もう一つの側面断面図である。図から明らかであるように、該バルブは、座体１、光源モジュール２及びランプシェル３を包含する。
【００２０】
該座体１は、中空絶縁ベース１１が設けられ、絶縁ベース１１の下方に接合部１１１が設けられ、上端に外向きに突出する複数の位置決め片１１２が設けられ、絶縁ベース１１に、外側にギャップを介して透光カバー１４が設けられ、下方にランプヘッド１２が位置決めされる。
【００２１】
ランプヘッド１２の内壁面に、接合部１１１と接合される雌ネジ孔１２１が設けられ、外表面にランプシートと螺合される雄ネジ１２２が設けられる。
【００２２】
絶縁ベース１１の外側に、金属材質の中空放熱体１３が嵌合され、放熱体１３の外表面に、透光カバー１４の下端を支持する階段面１３１が設けられ、階段面１３１の上方外表面に、上向きのネジ孔１３２１を具えた複数のネジ柱１３２が凸設されている。放熱体１３の上端にさらに、複数のネジ柱１３２と間隔配列を呈すると共に複数の位置決め片１１２と係合する複数の位置決め溝１３３が凹設され、透光カバー１４の下方の、内向きに延伸された底板１４１の内縁に、各ネジ柱１３２の進入に供される複数の凹孔１４１１が設けられる。
【００２３】
透光カバー１４の上方外表面にはさらに、複数の嵌め溝１４２が凹設され、且つ絶縁ベース１１内に、ランプヘッド１２と電気的に接続される電力供給モジュール１５が設けられる。
【００２４】
該光源モジュール２には、ベース１１及び透光カバー１４上方に位置決めされ並びに放熱効果を有する金属製のアダプタシート２１が設けられる。該アダプタシート２１の外縁に上方と下方に延伸された複数の位置決め体２１１と、複数の位置決め体２１１と間隔を持って設置された複数の係止孔２１２が設けられる。
【００２５】
アダプタシート２１の上下表面には、複数の発光ダイオード２２１、２３１を具えると共に電力供給モジュール１５と電気的に接続された第１回路板２２、第２回路板２３が設けられる。第１回路板２２上にはネジ２２２が設けられ、第２回路板２３の下表面が放熱体１３の上面に支持され、第２回路板２３上には第１回路板２２と電気的に接続されるコネクタ２３２が設けられる。コネクタ２３２の上方と下方にそれぞれ複数のピン２３２１が設けられる。第２回路板２３には並びにアダプタシート２１を通過して第１回路板２２にねじ込まれる複数のネジ２３３が設けられる。
【００２６】
第１回路板２２の上方には電力供給モジュール１５と電気的に接続される第１接続板２４が電気的に接続され、第２回路板２３の下方には、第２接続板２５が電気的に接続される。且つ第１接続板２４と第２接続板２５はコネクタ２３２の複数のピン２３２１にハンダ付けされて電気的に接続される。第２接続板２５の下方にさらに位置決めシート２６が設けられ、位置決めシート２６の上方に位置決め柱２６１が突伸し、位置決め柱２６１の外壁面に、複数のリブ２６１１が凸設されている。
【００２７】
位置決めシート２６の上方は絶縁ベース１１上面の外周に当接し、位置決め片１１２の嵌め込みに供される複数の位置決め凹溝２６２が凹設され、さらに第２回路板２３の下表面に、放熱体１３の上面に保持されて絶縁を形成する熱伝導パッド２７が設けられる。
【００２８】
アダプタシート２１上に、第１回路板２２上の複数のネジ２２２と第２回路板２３上の複数のネジ２３３を通すための複数の貫通孔２８が設けられ、且つ第２回路板２３及び熱伝導パッド２７上に、第１回路板２２上の複数のネジ２２２を通して放熱体１３の各ネジ柱１３２のネジ孔１３２１に螺合させるための複数の貫通孔２８が設けられる。
【００２９】
並びに、アダプタシート２１、第１回路板２２、第２回路板２３及び第２接続板２５に、位置決めシート２６の位置決め柱２６１を通して第１接続板２４下表面に支持するための穿孔４が設けられる。各穿孔４の周縁が切削されて、位置決め柱２６１の外側の複数のリブ２６１１を通して位置制限するための割り溝４１が設けられ、アダプタシート２１、第１回路板２２及び第２回路板２３上に、コネクタ２３２の挿入に供される貫通溝５が設けられる。
【００３０】
該ランプシェル３はアダプタシート２１の上方に位置決めされ、ランプシェル３の外表面下方に、透光カバー１４の複数の嵌め溝１４２と、アダプタシート２１の各位置決め体２１１と対応し嵌め止めする複数の嵌め溝３１が設けられる。
【００３１】
ランプシェル３の底面よりさらに下向きに、アダプタシート２１上の各係止孔２１２に係合して位置決めを形成する複数の係止部３２が突伸している。
【００３２】
該光源モジュール２のアダプタシート２１は、金属材料（たとえば、アルミ或いはアルミマグネシウム合金等）を利用して形成される。アダプタシート２１の上下表面に、複数の発光ダイオード２２１、２３１を具えた第１、第２回路板２２、２３が設けられる。
【００３３】
この複数の発光ダイオード２２１、２３１が上方、下方及び側方に向けて光線を発射することで、ランプの輝度が増し、且つ金属のアダプタシート２１は第１、第２回路板２２、２３に当接するため、動作時に発生する熱量を奪い、放熱効果を達成できる。
【００３４】
このほか、アダプタシート２１はまた、上方と下方に延伸された複数の位置決め体２１１が透光カバー１４とランプシェル３の固定に供され、これにより有限な空間中で、固定、光線及び放熱効果を考慮した設計を達成している。
【００３５】
上述の透光カバー１４及びランプシェル３は、透光或いは半透光材料で製造され、該絶縁ベース１１及び透光カバー１４は、分離製造されてさらに組み合わされ得るほか、絶縁ベースと透光カバー１４は透光或いは半透光材料で一体成形可能で、これは本考案の請求範囲を局限せず、その他の修飾及び同等の構造変化は、いずれも本考案の権利請求範囲に属するものとする。
【００３６】
さらに、該バルブはアダプタシート２１を利用して第１回路板２２及び第２回路板２３に接触することで、放熱を行うほか、また、放熱体１３の上方が第２回路板２３の下表面の熱伝導パッド２７に接触することにより、第２回路板２３の熱エネルギーを熱伝導パッド２７に伝導して放熱できる。これにより、発光ダイオード２２１、２３１の設置数量が増加されて、それに伴い熱エネルギーが増加しても、アダプタシート２１及び放熱体１３により放熱され、放熱面積が増大することで放熱効果がアップし、すなわち、発光輝度を増加する状況で、温度の上昇を防止し、バルブの使用寿命を延長することができる。
【００３７】
上述の金属のアダプタシート２１に設置される複数の位置決め体２１１の数量（たとえば、２、３、４或いは５個）は、全体のランプの発光ダイオード２２１、２３１の設置数量或いは全体のパワーの高さに応じて調整され、且つ透光カバー１４の嵌め溝１４２及びランプシェル３の嵌め溝３１の数量及び位置も、各位置決め体２１１に対応して設計され、こうして、発光ダイオード２２１、２３１の数量増加或いはパワーアップにより、発生する熱エネルギーが高くなって、バルブ温度が上昇する時、複数の位置決め体２１１の数量を増加し、複数の位置決め体２１１によりアダプタシート２１の外表面の空気との接触面積を増すことで、アダプタシート２１の放熱効果をアップし、こうして、放熱効果調整の目的を達成する。
【００３８】
該電力供給モジュール１５の下方は、導線を利用してランプヘッド１２に接続され、電力供給モジュール１５の上方は、導線を利用して第１接続板２４に接続され、第１接続板２４と第２接続板２５は接点ハンダ付け方式で第１回路板２２、第２回路板２３と電気的に接続される。
【００３９】
第１接続板２４と第２接続板２５はすなわち、コネクタ２３２の複数のピン２３２１に電気的に接続され、第１接続板２４と第２接続板２５の間はコネクタ２３２を介して電気的接続を形成する。組立時には、導線を利用して電気的接続を形成するなら、ハンダ付け作用が困難であるのみならず、空間を保留して導線を収容しなければならず、組立上の難度がそれに伴い高まる。コネクタ２３２を介して電気的に接続するときは、アダプタシート２１、第１回路板２２及び第２回路板２３上に貫通溝５を設けてコネクタ２３２を置き入れれば、直接ハンダ付けして電気的接続を形成でき、これにより、組立と加工プロセスを簡易化する目的を達成できる。
【００４０】
上述の電力供給モジュール１５の上方の導線は、第１接続板２４に電気的に接続されるほか、第２接続板２５に電気的に接続される。それは電源を第１接続板２４或いは第２接続板２５に伝送して電源を第１回路板２２及び第２回路板２３に提供できればよく、これは本考案の請求範囲を局限せず、もし、その他の修飾及び同等の構造変化を利用するならば、それらはいずれも本考案の権利請求範囲内に属する。
【００４１】
また、該放熱体１３の階段面１３１の上方の外壁面は傾斜状を呈し、第２回路板２３上の複数の発光ダイオード２３１は下向きの発射光源とされるが、ただしその光線は放熱体１３の阻止によりやや側方向に照射され、階段面１３１の上方の傾斜状を呈する放熱体１３の外壁面が光線を反射するか、或いは放熱体１３の外壁面にさらに反射層が設置されることで、光線が良好に反射されて透光カバー１４をとおり外部に照射される。
【００４２】
バルブはランプシートに取付けられ、一般にランプシートの外側には反射カバーが設置されて、後方或いは側方の光線を前方へと反射できるものとされる。ゆえに、第２回路板２３及びその上方の複数の発光ダイオード２３１が増設されることで、もともと光線照射のないバルブ側方向及び後方において光線照射を増加し、且つ放熱体１３により複数の発光ダイオード２３１の光線を反射し、確実に反射カバーに照射されるようにし、さらに反射カバーにより光線を反射して前方に至らしめ、バルブ輝度をアップする目的を達成する。
【００４３】
上述の本考案のバルブは、実際の使用時に、以下のような優れた点を有している。
（一）光源モジュール２のアダプタシート２１は、金属材料で形成され、アダプタシート２１の上下表面に、複数の発光ダイオード２２１、２３１を具えた第１、第２回路板２２、２３が設けられ、複数の発光ダイオード２２１、２３１により上方、下方及び側方に光線を発射させ、且つ第１、第２回路板２２、２３の動作時に発生する熱量もまた、金属のアダプタシート２１により放熱され、このほか、アダプタシート２１はさらに透光カバー１４とランプシェル３の位置決めに供される。
（二）第１回路板２２及び第２回路板２３はアダプタシート２１に接触することで熱伝導して放熱を行うほか、第２回路板２３は熱伝導パッド２７及び放熱体１３の熱伝導を利用して放熱し、且つ金属のアダプタシート２１の複数の位置決め体２１１の設置数量は増減可能で、これにより、発光ダイオード２２１、２３１の設置数量或いはパワーアップにより発光輝度がアップされる時に、放熱面積を増大させて放熱効果をアップできる。
（三）第１接続板２４と第２接続板２５は接点ハンダ付け方式で、第１回路板２２、第２回路板２３と電気的に接続され、第１接続板２４と第２接続板２５の間はコネクタ２３２を介して電気的に接続され、組立時には、コネクタ２３２をアダプタシート２１、第１回路板２２、第２回路板２３に設けられた貫通溝５に置き入れてハンダ付けすれば作業が完成する。
（四）放熱体１３は階段面１３１の上方の外壁面が傾斜状を呈し、第２回路板２３上の複数の発光ダイオード２３１の発射する光線を反射し、複数の発光ダイオード２３１の光線を確実に透光カバー１４を通して外部に照射させる。
【００４４】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００４５】
１  座体
１１  絶縁ベース
１１１  接合部
１１２  位置決め片
１２  ランプヘッド
１２１  雌ネジ
１２２  雄ネジ
１３  放熱体
１３１  階段面
１３２  ネジ柱
１３２１  ネジ孔
１３３  位置決め溝
１４  透光カバー
１４１  底板
１４１１  凹孔
１４２  嵌め溝
１５  電力供給モジュール
２  光源モジュール
２１  アダプタシート
２１１  位置決め体
２１２  係止孔
２２  第１回路板
２２１  発光ダイオード
２２２  ネジ
２３  第２回路板
２３１  発光ダイオード
２３２１  ピン
２３３  ネジ
２４  第１接続板
２５  第２接続板
２６  位置決めシート
２６１  位置決め柱
２６１１  リブ
２６２  位置決め凹溝
２７  熱伝導パッド
２８  貫通孔
３  ランプシェル
３１  嵌め溝
３２  係止部
４  穿孔
４１  割り溝
５  貫通溝
【図１】
0003179910.tif 000003
【図２】
0003179910.tif 000004
【図３】
0003179910.tif 000005
【図４】
0003179910.tif 000006
【図５】
0003179910.tif 000007